(57)【要約】【課題】追加符号化ツールを使用していない第２の符号化モードの符号化データを、小さな処理量で音質を劣化させることなく、第１の符号化モードの符号化データに変換し、第１の符号化モードの符号化データ用の機器で再生可能にする。【解決手段】第１の符号化モードで使用可能な符号化及び復号化ツールに加えて追加符号化及び復号化ツールを使用可能な第２の符号化モードの符号化データを入力として、符号化データが追加符号化ツールを使用しているか否かの判定を行う追加ツール使用判定部３１０と、追加ツール使用判定部３１０で追加符号化ツールを使用していないと判定した場合に、符号化データの符号化モードを第２の符号化モードから第１の符号化モードに変更し、第１の符号化モードの符号化データに変換して出力する符号化モード変更部３２０を備える。【選択図】図３
2006154350.tif 000002
【特許請求の範囲】
【請求項１】
第１の符号化モードで使用可能な符号化及び復号化ツールに加えて追加符号化及び復号化ツールを使用可能な第２の符号化モードの符号化データを入力として、前記符号化データが前記追加符号化ツールを使用しているか否かの判定を行う追加ツール使用判定手段と、
前記追加ツール使用判定手段が前記追加符号化ツールを使用していないと判定した場合に、前記符号化データの符号化モードを第２の符号化モードから第１の符号化モードに変更し、第１の符号化モードの符号化データに変換して出力する符号化モード変更手段とを備えることを特徴とする符号化データ変換装置。
【請求項２】
第１の符号化モードで使用可能な符号化及び復号化ツールに加えて追加符号化及び復号化ツールを使用可能な第２の符号化モードの符号化データを暗号化したデータを入力として、前記暗号化したデータを解読して第２の符号化モードの符号化データを出力する暗号解読手段と、
前記暗号解読手段からの符号化データを入力として、前記符号化データが前記追加符号化ツールを使用しているか否かの判定を行う追加ツール使用判定手段と、
前記追加ツール使用判定手段が前記追加符号化ツールを使用していないと判定した場合に、前記符号化データの符号化モードを第２の符号化モードから第１の符号化モードに変更し、第１の符号化モードの符号化データに変換して出力する符号化モード変更手段と、
前記第１の符号化モードの符号化データを暗号化したデータを出力する暗号化手段とを備えることを特徴とする符号化データ変換装置。
【請求項３】
第１の符号化モードで使用可能な符号化及び復号化ツールに加えて追加符号化及び復号化ツールを使用可能な第２の符号化モードの符号化データを暗号化したデータを入力として、前記暗号化したデータを解読して第２の符号化モードの符号化データを出力する暗号解読手段と、
前記暗号解読手段からの符号化データを一時的に記憶するバッファメモリーと、
前記バッファメモリーから読み出した符号化データが前記追加符号化ツールを使用しているか否かの判定を行う追加ツール使用判定手段と、
前記追加ツール使用判定手段が前記追加符号化ツールを使用していないと判定した場合に、前記符号化データの符号化モードを第２の符号化モードから第１の符号化モードに変更し、第１の符号化モードの符号化データに変換して出力する符号化モード変更手段と、
前記第１の符号化モードの符号化データを暗号化したデータを出力する暗号化手段とを備えることを特徴とする符号化データ変換装置。
【請求項４】
第１の符号化モードで使用可能な符号化及び復号化ツールに加えて追加符号化及び復号化ツールを使用可能な第２の符号化モードの符号化データを暗号化したデータを入力として、前記暗号化したデータを解読して第２の符号化モードの符号化データを出力する暗号解読手段と、
前記暗号解読手段からの符号化データを入力として、前記符号化データが前記追加符号化ツールを使用しているか否かの判定を行う追加ツール使用判定手段と、
前記追加ツール使用判定手段が前記追加符号化ツールを使用していないと判定した場合に、前記暗号化したデータの符号化モードを第２の符号化モードから第１の符号化モードに変更し、第１の符号化モードの符号化データを暗号化したデータに変換して出力する符号化モード変更手段とを備えることを特徴とする符号化データ変換装置。
【発明の詳細な説明】
【技術分野】
【０００１】
本発明は、第１の符号化モードの符号化データを再生できるが、第２の符号化モードの符号化データを再生できない従来の再生機器で、追加符号化ツールを使用していない第２の符号化モードの符号化データを再生可能にするため、前記第２の符号化モードの符号化データを第１の符号化モードの符号化データに変換する装置に関するものである。
【背景技術】
【０００２】
従来の符号化データ変換装置としては、第２の符号化モードの符号化データを入力として、第２の符号化モードの符号化データを復号化し、次に第１の符号化モードによって符号化して第１の符号化モードの符号化データに変換して出力する装置が知られている（例えば、特許文献１参照）。
【０００３】
図８（ａ）は、特許文献１に記載された従来の符号化データ変換装置の構成を示すものである。図８（ａ）で、８１０はフルレート復号化部、８２０はローレート符号化部、８３０は符号化データ変換装置、８４０は留守番電話メッセージ記憶部である。符号化データ変換装置８３０は、フルレート復号化部８１０とローレート符号化部８２０から構成される。図８（ａ）では、フルレート符号化データを入力として、フルレート復号化部８１０で一度復号化してからローレート符号化部８２０に入力することでローレート符号化データを得る。得られたローレート符号化データを留守番電話メッセージ記憶部８４０に記憶する。
【０００４】
図８（ｂ）は、従来例と本発明の実施の形態とを対比するため、図８（ａ）に示す従来例の各構成ブロックの名称を一般化して書き直した図である。すなわち、図８（ａ）のフルレート符号化データを（ｂ）では第２の符号化モードの符号化データ、同様に、フルレート復号化部８１０を第２の符号化モードによる復号化部８５０、ローレート符号化部８２０を第１の符号化モードによる符号化部８６０、留守番電話メッセージ記憶部８３０を第１の符号化モードの符号化データ記憶部８８０とした図である。図８（ｂ）の符号化データ変換装置８７０は、第２の符号化モードによる復号化部８５０と第１の符号化モードによる符号化部８６０から構成される。
【特許文献１】特開平９−２９８５９１号公報
【発明の開示】
【発明が解決しようとする課題】
【０００５】
しかしながら、前記従来の構成の符号化データ変換装置では、復号化と符号化を共に行わなければならないので、符号化データ変換のための処理量が大きいという課題を有していた。また、符号化を繰り返すことにより、音質が劣化するという課題を有していた。
【０００６】
本発明は前記従来の問題点を解決するもので、追加符号化ツールを使用していない第２の符号化モードの符号化データを、小さな処理量で音質を劣化させることなく、第１の符号化モードの符号化データに変換する装置を提供することを目的とする。
【課題を解決するための手段】
【０００７】
前記従来の課題を解決するために、本発明の符号化データ変換装置は、第１の符号化モードで使用可能な符号化及び復号化ツールに加えて追加符号化及び復号化ツールを使用可能な第２の符号化モードの符号化データを入力として、前記符号化データが前記追加符号化ツールを使用しているか否かの判定を行う追加ツール使用判定手段と、前記追加ツール使用判定手段が前記追加符号化ツールを使用していないと判定した場合に、前記符号化データの符号化モードを第２の符号化モードから第１の符号化モードに変更し、第１の符号化モードの符号化データに変換して出力する符号化モード変更手段を備えることを最も主要な特徴とする。
【発明の効果】
【０００８】
本発明の符号化データ変換装置によれば、追加ツール使用判定手段で、追加符号化ツールを使用していない第２の符号化モードの符号化データを検出し、符号化モード変更手段で、前記検出された符号化データの符号化モードを第２の符号化モードから第１の符号化モードに変更することにより、第１の符号化モードの符号化データに変換して出力するので、処理量が小さく音質劣化のない符号化データ変換装置を実現することができる。
【発明を実施するための最良の形態】
【０００９】
以下本発明を実施するための最良の形態について、図面を参照しながら説明する。
【００１０】
最初に、本発明の符号化データ変換装置が、変換入力対象とする第２の符号化モードと変換出力対象とする第１の符号化モードの関係について説明する。
【００１１】
図１は、第１の符号化モードと第２の符号化モードで使用可能な符号化及び復号化ツール（モジュール）の関係を示す図である。図１に示すように第２の符号化モードで使用できる符号化／復号化ツール１２０は、第１の符号化モードで使用できる符号化／復号化ツール１００に、追加符号化／復号化ツール１１０を加えたものである。ここで、第２の符号化モードによる符号化装置での追加符号化ツールの実装や使用は、オプション（選択自由）であり、必須ではない。これに対して、復号化装置では、追加符号化ツールを使用した符号化データの復号化にも対応しなければならないので、追加復号化ツールの実装は必須である。
【００１２】
このような符号化モードの例としては、ＭＰＥＧ（Ｍｏｖｉｎｇ  Ｐｉｃｔｕｒｅ  Ｅｘｐｅｒｔｓ  Ｇｒｏｕｐ）のＡＡＣ（Ａｄｖａｎｃｅｄ  Ａｕｄｉｏ  Ｃｏｄｉｎｇ）が知られている。ＡＡＣの場合、第１の符号化モードはＭＰＥＧ−２  ＡＡＣ（ＩＳＯ／ＩＥＣ  １３８１８−７参照）、第２の符号化モードはＭＰＥＧ−４  ＡＡＣ（ＩＳＯ／ＩＥＣ  １４４９６−３参照）、追加符号化／復号化ツールはＰＮＳ（Ｐｅｒｃｅｐｔｕａｌ  Ｎｏｉｓｅ  Ｓｕｂｓｔｉｔｕｔｉｏｎ）が該当する。
【００１３】
以下の実施の形態では、第１の符号化モードをＭＰＥＧ−２  ＡＡＣ、第２の符号化モードをＭＰＥＧ−４  ＡＡＣ、追加ツールをＰＮＳとした場合について説明する。また、ＭＰＥＧ−２  ＡＡＣ、あるいはＭＰＥＧ−４  ＡＡＣの符号化データの形式は、ＡＤＴＳ（Ａｕｄｉｏ  Ｄａｔａ  Ｔｒａｎｓｐｏｒｔ  Ｓｔｒｅａｍ）形式とする。
【００１４】
図２はＡＤＴＳ形式のＡＡＣ符号化データの構成を示す図である。図２に示すようにＡＤＴＳ形式のＡＡＣ符号化データは、複数のＡＤＴＳフレームから構成される。１つのＡＤＴＳフレームはＡＤＴＳヘッダーとＡＡＣローデータブロック（ｒａｗ  ｄａｔａ  ｂｌｏｃｋ）から構成される。
【００１５】
ＡＤＴＳヘッダーは、同期ワード、ＩＤ、サンプリング周波数、フレーム長などのヘッダーデータから構成される。ここで、ＩＤの値は、ＭＰＥＧ−２  ＡＡＣか、ＭＰＥＧ−４  ＡＡＣかを表し、ＩＤ＝１の場合がＭＰＥＧ−２  ＡＡＣで、ＩＤ＝０の場合がＭＰＥＧ−４  ＡＡＣを表す。ＡＡＣローデータブロックとは、ＡＤＴＳフレームを構成するヘッダーなしのＡＡＣ符号化データブロックのことである。ＰＮＳを使用していないＭＰＥＧ−４  ＡＡＣのローデータブロックのフォーマットは、ＭＰＥＧ−２  ＡＡＣのローデータブロックのフォーマットと同一である。
【００１６】
以下、本発明の実施の形態について、より具体的に説明する。
【００１７】
（実施の形態１）
図３は、本発明の実施の形態１における符号化データ変換装置の構成を示すブロック図である。図３において、３００は、半導体メモリー、ハードディスク等の記憶メディア、３１０は追加ツール使用判定部、３２０は符号化モード変更部、３３０は符号化データ変換装置である。実施の形態１では、符号化データ変換装置３３０は、追加ツール使用判定部３１０と符号化モード変更部３２０から構成される。以上のように構成された符号化データ変換装置３３０について、その動作を以下に述べる。
【００１８】
記憶メディア３００には、第２の符号化モード（ＭＰＥＧ−４  ＡＡＣ）の符号化データがＡＤＴＳ（Ａｕｄｉｏ  Ｄａｔａ  Ｔｒａｎｓｐｏｒｔ  Ｓｔｒｅａｍ）形式で記憶されているものとする。
【００１９】
記憶メディア３００から読み出された第２の符号化モードの符号化データは、追加ツール使用判例部３１０に入力される。
【００２０】
追加ツール使用判定部３１０では、入力された第２の符号化モードの符号化データが追加符号化ツール（ＰＮＳ）を使用しているか否かの判定を行い、判定結果をモード変更フラグとして符号化モード変更部３２０に出力する。
【００２１】
図４は、追加ツール使用判定部３１０の動作シーケンスを示すフローチャートである。ステップ４０１では、モード変更フラグを０にセットし、最初のフレーム（ＡＤＴＳフレーム）のデータを読み込む。
【００２２】
ステップ４０２では、読み込んだＡＤＴＳヘッダーのＩＤの値が０であるか否かの判定を行うことにより、読み込んだ符号化データの符号化モードが第２の符号化モード（ＭＰＥＧ−４  ＡＡＣ）であるか否かの判定を行う。ＩＤの値が０である場合、すなわち第２の符号化モードである場合には、ステップ４０３に行く。ＩＤの値が０でない場合には、すなわち第１の符号化モード（ＭＰＥＧ−２  ＡＡＣ）である場合には、モード変更フラグが０のままで処理を終了する。
【００２３】
ステップ４０３では、すべてのフレームのデータの読み込みが終了したかどうかの判定を行う。すべてのフレームのデータの読み込みが終了した場合には、ステップ４０６に行く。すべてのフレームのデータの読み込みが終了していない場合には、ステップ４０５に行く。
【００２４】
ステップ４０５では、ＡＡＣローデータブロックからセクションデータの抽出を行う。セクションデータの抽出は、ＡＡＣローデータブロックの符号化データをセクションデータ抽出まで分離（デマルチプレクス）することにより行う。次にステップ４０７に行く。
【００２５】
ステップ４０７では、セクションデータのスペクトルハフマンコードブック番号から追加符号化ツールのＰＮＳを使用しているかどうかの判定を行う。ＭＰＥＧ−４  ＡＡＣの場合、スペクトルハフマンコードブック番号が１３の場合には、ＰＮＳを使用しており、それ以外の場合にはＰＮＳを使用していない。ステップ４０７では、セクションデータを構成するすべてセクションに対するスペクトルハフマンコードブック番号を調べ、１つでも１３に等しいときにはＰＮＳを使用していると判定する。ＰＮＳを使用していると判定した場合には、処理を終了する。ＰＮＳを使用していないと判定された場合にはステップ４０４に行く。ステップ４０４では、次のフレームのデータを読み込み、ステップ４０２に行き、同様に各ステップを繰り返す。
【００２６】
ステップ４０３の分岐からステップ４０６に来るのは、すべてのフレームにわたって追加符号化ツールのＰＮＳを使用していない場合である。ステップ４０６では、モード変更フラグを１にセットし、処理を終了する。
【００２７】
追加ツール使用判定部３１０では、上記のようにしてモード変更フラグを設定し、判定結果として出力する。
【００２８】
符号化モード変更部３２０では、追加ツール使用判定部３１０から出力されるモード変更フラグが１である場合に、符号化データのＡＤＴＳヘッダーのＩＤを０から１に変更することにより、符号化モードを第２の符号化モード（ＭＰＥＧ−４  ＡＡＣ）から第１の符号化モード（ＭＰＥＧ−２  ＡＡＣ）に変更し、第１の符号化モードの符号化データに変換して出力する。また、モード変更フラグが０である場合には、符号化モードを変更せず、符号化データを出力しない。
【００２９】
符号化モード変更部３２０から出力された第１の符号化モードの符号化データは、記憶メディア３００に記憶される。なお、記憶メディア３００の使用領域を節約するため、変換された第１の符号化モードの符号化データで第２の符号化モードの符号化データを上書きしてもよい。
【００３０】
実施の形態１では、セクションデータのすべてのスペクトルハフマンコードブック番号を抽出するという極めて部分的な復号化処理のみでよいので、従来例で必要であった完全な復号化処理と比較して極めて処理量が少ない。また、従来例で必要であった再符号化処理が不要であるので、符号化データ変換に必要な処理量が極めて小さい。また、実施の形態１では、ＡＤＴＳヘッダーの符号化モードを表すＩＤの変更のみで、ＡＡＣローデータブロックそのものには変更を加えないので、音質が劣化することがない。
【００３１】
以上のように実施の形態１の符号化データ変換装置３３０では、追加ツール使用判定部３１０と符号化モード変更部３２０を設けることにより、追加符号化ツールを使用していない第２の符号化モードの符号化データを、第１の符号化モードの符号化データに、小さな処理量で音質を劣化させることなく、変換することができる。
【００３２】
なお、上記実施の形態では、符号化モードをＡＤＴＳヘッダーのみに記録している場合について説明したが、符号化モードをＡＡＣ符号化データとは別の領域に属性情報として、例えば符号化データの先頭に、記録していてもよい。この場合には、符号化モード変更部３２０はＡＡＣ符号化データとは別の領域に記録されている符号化モードも同時に変更することになる。
【００３３】
なお、記憶メディア３００は機器に内蔵されていてもよいし、メモリーカードのようにリムーバブルな記憶メディアであってもよい。リムーバブルな記憶メディアである場合、本実施の形態による符号化データ変換装置を搭載した機器、例えばパーソナルコンピュータで第２の符号化モードの符号化データを第１の符号化モードの符号化データに変換して前記リムーバブル記憶メディアに記憶し、次に第１の符号化モードの符号化データを再生できるが、第２の符号化モードの符号化データを再生できない従来の機器に、前記リムーバブル記憶メディアを接続すれば、前記符号化データを再生することができるようになる。
【００３４】
（実施の形態２）
図５は、本発明の実施の形態２における符号化データ変換装置の構成を示すブロック図である。図５において、５００は記憶メディア、５１０は暗号解読部、５２０は追加ツール使用判定部、５３０は符号化モード変更部、５４０は暗号化部、５５０は符号化データ変換装置である。実施の形態２では、符号化データ変換装置５５０は、暗号解読部５１０、追加ツール使用判定部５２０、符号化モード変更部５３０、暗号化部５４０から構成される。
【００３５】
追加ツール使用判定部５２０と符号化モード変更部５３０は、実施の形態１の追加ツール使用判定部３１０と符号化モード変更部３２０とそれぞれ同一なので詳細な動作の説明を省略する。以上のように構成された符号化データ変換装置５５０について、その動作を以下に述べる。
【００３６】
実施の形態１と実施の形態２の違いは、実施の形態１では、記憶メディア３００に符号化データをそのままの形で記憶しているのに対し、実施の形態２では、記録されるコンテンツの著作権を保護するために記憶メディア５００に符号化データを暗号化して記憶していることである。
【００３７】
記憶メディア５００には、第２の符号化モードの符号化データが暗号化されて記憶されている。記憶メディア５００から読み出された暗号化された第２の符号化モードの符号化データは、暗号解読部５１０に入力される。
【００３８】
暗号解読部５１０では、前記暗号化された第２の符号化モードの符号化データを解読し、平文の第２の符号化モードの符号化データを出力する。暗号解読部５１０から出力された第２の符号化モードの符号化データは、追加ツール使用判例部５２０に入力される。
【００３９】
追加ツール使用判定部５２０では、入力された第２の符号化モードの符号化データが追加符号化ツールを使用しているか否かの判定を行い、判定結果をモード変更フラグとして符号化モード変換部５３０に出力する。
【００４０】
符号化モード変更部５３０では、追加ツール使用判定部５２０から出力されるモード変更フラグが１である場合に、符号化データの符号化モードを第２の符号化モードから第１の符号化モードに変更し、第１の符号化モードの符号化データに変換して出力する。また、モード変更フラグが０である場合には、符号化データを出力しない。
【００４１】
暗号化部５４０では、符号化モード変更部５３０からの出力である第１の符号化モードの符号化データを再暗号化して暗号データとして出力する。
【００４２】
暗号化部５４０から出力された暗号化された第１の符号化モードの符号化データは記憶メディア５００に記憶される。なお、記憶メディア５００の使用領域を節約するため、変換されて暗号化された第１の符号化モードの符号化データで暗号化された第２の符号化モードの符号化データを上書きして記憶してもよい。あるいは、前記変換されて暗号化された第１の符号化モードの符号化データを記憶するときには、前記暗号化された第２の符号化モードの符号化データを消去してもよい。
【００４３】
以上のように実施の形態２の符号化データ変換装置５５０では、暗号解読部５１０、追加ツール使用判定部５２０、符号化モード変更部５３０、暗号化部５４０を設けることにより、追加符号化ツールを使用していない暗号化された第２の符号化モードの符号化データを、暗号化された第１の符号化モードの符号化データに、小さな処理量で音質を劣化させることなく、変換することができる。
【００４４】
また、実施の形態２の符号化データ変換装置５５０では、入出力の符号化データが暗号化されているので、コンテンツの著作権を保護して符号化データの変換を行うことができる。
【００４５】
（実施の形態３）
図６は、本発明の実施の形態３における符号化データ変換装置の構成を示すブロック図である。図６において、６００は配信サーバ、６１０は暗号解読部、６２０はバッファメモリー、６３０は追加ツール使用判定部、６４０は符号化モード変更部、６５０は暗号化部、６６０は符号化データ変換装置、６７０は記憶メディアである。実施の形態３では、符号化データ変換装置６６０は、暗号解読部６１０、バッファメモリー６２０、追加ツール使用判定部６３０、符号化モード変更部６４０、暗号化部６５０から構成される。
【００４６】
追加ツール使用判定部６３０の動作は実施の形態１の追加ツール使用判定部３１０と同一なので、詳細な動作の説明を省略する。以上のように構成された符号化データ変換装置６６０について、その動作を以下に述べる。
【００４７】
実施の形態３では、配信サーバ６００から送信された暗号化された第２の符号化モードの符号化データを、符号化データ変換装置６６０で受信し、追加符号化ツールを使用していない場合には暗号化された第１の符号化モードの符号化データに変換し、そうでない場合には暗号化された第２の符号化モードの符号化データを出力して記憶メディア６７０に記憶する。
【００４８】
配信サーバ６００には、配信されるコンテンツの著作権を保護するために、第２の符号化モードの符号化データが暗号化されて記憶されている。配信サーバ６００では、暗号化された第２の符号化モードの符号化データを送信する。
【００４９】
暗号解読部６１０では、前記暗号化された第２の符号化モードの符号化データを受信して解読し、平文の第２の符号化モードの符号化データを出力する。
【００５０】
暗号解読部６１０からの出力された第２の符号化モードの符号化データは、バッファメモリー６２０に一旦記憶される。追加ツール使用判定部６３０では、追加符号化ツールの使用判定にすべてのフレームの符号化データを必要とするので、実施の形態３では、バッファメモリー６２０を用いてすべてのフレームの符号化データを一時的に記憶する。
【００５１】
追加ツール使用判定部６３０では、バッファメモリー６２０から読み出された第２の符号化モードの符号化データが追加符号化ツールを使用しているか否かの判定を行い、判定結果をモード変更フラグとして出力する。
【００５２】
符号化モード変更部６４０では、追加ツール使用判定部６３０から出力されるモード変更フラグが１である場合（追加ツールが使用されていない場合）に、バッファメモリー６２０から読み出された符号化データの符号化モードを第２の符号化モードから第１の符号化モードに変更し、第１の符号化モードの符号化データに変換して出力する。また、前記モード変更フラグが０の場合には、バッファメモリー６２０から読み出された第２の符号化モードの符号化データをそのまま出力する。
【００５３】
暗号化部６５０では、符号化モード変更部６４０の出力である第１の符号化モード、又は第２の符号化モードの符号化データを暗号化して暗号データとして出力する。なお、配信サーバ６００で用いる暗号化と記憶メディア６７０で用いる暗号化とは、暗号化の方法が異なっていてもよい。
【００５４】
暗号化部６５０から出力された暗号化された第１の符号化モード、又は第２の符号化モードの符号化データは記憶メディア６７０に記憶される。
【００５５】
以上のように実施の形態３の符号化データ変換装置６６０では、暗号解読部６１０、バッファメモリー６２０、追加ツール使用判定部６３０、符号化モード変更部６４０、暗号化部６５０を設けることにより、配信サーバ６００から送信される暗号化されて追加符号化ツールを使用していない第２の符号化モードの符号化データを、暗号化された第１の符号化モードの符号化データに、小さな処理量で音質を劣化させることなく、変換することができる。
【００５６】
また、実施の形態３の符号化データ変換装置６６０では、入出力の符号化データが暗号化されているので、コンテンツの著作権を保護して符号化データの変換を行うことができる。
【００５７】
（実施の形態４）
図７は、本発明の実施の形態４における符号化データ変換装置の構成を示すブロック図である。図７において、７００は記憶メディア、７１０は暗号解読部、７２０は追加ツール使用判定部、７３０は符号化モード変更部、７４０は符号化データ変換装置である。実施の形態４では、符号化データ変換装置７４０は、暗号解読部７１０、追加ツール使用判定部７２０、符号化モード変更部７３０から構成される。
【００５８】
追加ツール使用判定部７２０は、実施の形態１の追加ツール使用判定部３１０と同一なので詳細な動作の説明を省略する。以上のように構成された符号化データ変換装置７４０について、その動作を以下に述べる。
【００５９】
実施の形態２と実施の形態４の違いは、実施の形態２では暗号化部５４０が必要であるのに対し、実施の形態４では暗号化部５４０が不要であり、実施の形態２比較して、符号化データ変換に必要な処理量は小さい。
【００６０】
実施の形態４は、暗号化された符号化データの中で、符号化モードを表すデータについては暗号化されていない場合に適用される。例えば、ＳＤメモリーカードに係る応用規格であるＳＤ−Ａｕｄｉｏ規格のＭＰＥＧ−２  ＡＡＣの符号化モードでは、ＡＤＴＳ形式のＡＡＣ符号化データを暗号化してカードに記憶しているが、早送り再生などの特殊再生に対応するために、同期、ＩＤ、フレーム長などを記録するＡＤＴＳヘッダーは暗号化されず、ＡＡＣローデータブロックのみを暗号化している。実施の形態４は、このようにＡＡＣローデータブロックは暗号化されているが、符号化モードが暗号化されていない場合に適用される。また、実施の形態１で言及した符号化モードをＡＡＣ符号化データとは別の領域に属性情報として記録している場合、前記属性情報も暗号化されていないものとする。
【００６１】
記憶メディア７００には、コンテンツの著作権を保護するために、第２の符号化モードの符号化データが暗号化されて記憶されている。
【００６２】
記憶メディア７００から読み出された暗号化された第２の符号化モードの符号化データは、暗号解読部７１０に入力される。暗号解読部７１０では、前記暗号化された第２の符号化モードの符号化データの暗号を解読し、平文の第２の符号化モードの符号化データを出力する。
【００６３】
暗号解読部７１０からの出力された第２の符号化モードの符号化データは、追加ツール使用判例部７２０に入力される。
【００６４】
追加ツール使用判定部７２０では、入力された第２の符号化モードの符号化データが追加符号化ツールを使用しているか否かの判定を行い、判定結果をモード変更フラグとして出力する。
【００６５】
符号化モード変更部７３０では、追加ツール使用判定部７２０から出力されるモード変更フラグが１である場合（追加ツールを使用していない場合）に、記憶メディア７００から読み出された暗号化された符号化データの符号化モードを第２の符号化モードから第１の符号化モードに変更し、第１の符号化モードの符号化データに変換して、暗号化された第１の符号化モードの符号化データとして出力する。また、モード変更フラグが０である場合には、符号化データを出力しない。
【００６６】
符号化モード変更部７３０から出力され暗号化された第１の符号化モードの符号化データは、記憶メディア７００に記憶される。なお、記憶メディア７００の使用領域を節約するため、変換され暗号化された第１の符号化モードの符号化データで暗号化された第２の符号化モードの符号化データを上書きして記憶してもよい。あるいは、前記変換されて暗号化された第１の符号化モードの符号化データを記憶するときには、前記暗号化された第２の符号化モードの符号化データを消去してもよい。
【００６７】
以上のように実施の形態４の符号化データ変換装置７４０では、暗号解読部７１０、追加ツール使用判定部７２０、符号化モード変更部７３０を設けることにより、追加符号化ツールを使用していない暗号化された第２の符号化モードの符号化データを、暗号化された第１の符号化モードの符号化データに、小さな処理量で音質を劣化させることなく、変換することができる。
【００６８】
また、実施の形態４の符号化データ変換装置７４０では、入出力の符号化データが暗号化されているので、コンテンツの著作権を保護して符号化データの変換を行うことができる。
【００６９】
なお、上記各実施の形態において、第１の符号化モードの符号化データをＭＰＥＧ２  ＡＡＣ、第２の符号化モードの符号化データをＭＰＥＧ４  ＡＡＣとして説明したが、図１に示すような追加符号化／復号化ツールが使用可能な関係を有する符号化／復号化でれば、この限りではない。
【産業上の利用可能性】
【００７０】
本発明にかかる符号化データ変換装置は、小さな処理量で音質を変化させることなく、追加符号化ツールを使用していない第２の符号化モードの符号化データを、第１の符号化モードの符号化データに変換し、第１の符号化モードの符号化データを再生できるが、第２の符号化モードの符号化データを再生できない従来の機器での再生を可能にすることができる。このため、パーソナルコンピュータ、携帯端末、ＡＶ符号化データ記録再生機器等に搭載して好適に利用することができる。
【図面の簡単な説明】
【００７１】
【図１】本発明における第１の符号化モードと第２の符号化モードで使用可能な符号化及び復号化ツールの関係を示す概念図
【図２】本発明におけるＡＤＴＳ形式のＡＡＣ符号化データの構成を示す概念図
【図３】本発明の実施の形態１における符号化データ変換装置の構成を示すブロック図
【図４】同実施の形態１における追加ツール使用判定部の動作シーケンスを示すフローチャート
【図５】同実施の形態２における符号化データ変換装置の構成を示すブロック図
【図６】同実施の形態３における符号化データ変換装置の構成を示すブロック図
【図７】同実施の形態４における符号化データ変換装置の構成を示すブロック図
【図８】従来の符号化データ変換装置の構成を示すブロック図
【符号の説明】
【００７２】
３００，５００，６７０，７００    記憶メディア
３１０，５２０，６３０，７２０    追加ツール使用判部
３２０，５３０，６４０，７３０    符号化モード変更部
３３０，５５０，６６０，７４０    符号化データ変換装置
５１０，６１０，７１０    暗号解読部
５４０，６５０    暗号化部
６００    配信サーバ
６２０    バッファメモリー
【図１】
2006154350.tif 000003
【図２】
2006154350.tif 000004
【図３】
2006154350.tif 000005
【図４】
2006154350.tif 000006
【図５】
2006154350.tif 000007
【図６】
2006154350.tif 000008
【図７】
2006154350.tif 000009
【図８】
2006154350.tif 000010